(57)【要約】  一実施形態において、少なくとも第１のタイプの物理ダウンリンク制御チャネルを有するワイヤレス通信システム（１００）において少なくとも１つのユーザ機器（１２０）に関する共通探索スペース（ＣＳＳ）を構成する方法が、共通探索スペース（ＣＳＳ）の少なくとも１つのパラメータをブロードキャストすることを含み、これらのパラメータのいずれも、直交周波数分割多重（ＯＦＤＭ）シンボルの数ではない。一実施形態において、少なくとも第１のタイプの物理ダウンリンク制御チャネルを有するワイヤレス通信システムにおいてユーザ機器に関するデフォルトのユーザ機器特有の探索スペース（ＵＳＳ）を構成する方法が、そのデフォルトのＵＳＳの少なくとも１つのパラメータをブロードキャストすることを含み、これらのパラメータのいずれも、そのＵＥの識別子に基づかない。ブロードキャストすることは、ＵＥ特有のシグナリングより前に行われることが可能である。一実施形態において、ＵＳＳを構成する、または再構成する方法が、ＵＥ特有のシグナリングでＵＳＳの少なくとも１つのパラメータを送信することを含み得る。
2015514354.tif 000002
【特許請求の範囲】
【請求項１】
少なくとも第１のタイプの物理ダウンリンク制御チャネルを有するワイヤレス通信システム（１００）において少なくとも１つのユーザ機器（１２０）に関する物理ダウンリンク制御チャネル共通探索スペース（ＣＳＳ）を構成する方法が、
前記ＣＳＳの少なくとも１つのパラメータをブロードキャストするステップであって、前記パラメータのいずれも、直交周波数分割多重（ＯＦＤＭ）シンボルの数ではない、ステップを備える方法。
【請求項２】
前記ワイヤレス通信システムは、第２のタイプの物理ダウンリンク制御チャネルをさらに含み、さらに少なくとも１つのパラメータが、前記タイプの物理ダウンリンク制御チャネルのいずれを、前記少なくとも１つのＵＥが前記ＣＳＳを監視するのに使用しなければならないかを示す請求項１に記載の方法。
【請求項３】
少なくとも第１のタイプの物理ダウンリンク制御チャネルを有するワイヤレス通信システム（１００）においてユーザ機器（１２０）に関するデフォルトのユーザ機器特有の探索スペース（ＵＳＳ）を構成する方法であって、
前記デフォルトのＵＳＳの少なくとも１つのパラメータをブロードキャストするステップであって、前記パラメータのいずれも、前記ＵＥの識別子に基づかない、ステップを備え、前記ブロードキャストするステップは、ＵＥ特有のシグナリングより前に行われる方法。
【請求項４】
前記少なくとも１つのパラメータは、前記ＵＳＳの少なくとも１つの周波数位置を示す請求項３に記載の方法。
【請求項５】
少なくとも第１のタイプの物理ダウンリンク制御チャネルを有するワイヤレス通信システム（１００）においてユーザ機器（１２０）に関する前記ユーザ機器特有の探索スペース（ＵＳＳ）を構成する、または再構成する方法であって、
ＵＥ特有のシグナリングで前記ＵＳＳの少なくとも１つのパラメータを送信するステップであって、前記パラメータのいずれも、前記ＵＥの識別子に基づかない、ステップを備える方法。
【請求項６】
少なくとも第１のタイプの物理ダウンリンク制御チャネルを有するワイヤレス通信システム（１００）において共通探索スペース（ＣＳＳ）を監視するための方法であって、
共通探索スペース（ＣＳＳ）の少なくとも１つのパラメータを含むブロードキャスト信号を受信するステップであって、前記少なくとも１つのパラメータは、複数の制御チャネルのうちのいずれが前記ＣＳＳを監視するのに使用されるべきかを示す、ステップを備える方法。
【請求項７】
少なくとも第１のタイプの物理ダウンリンク制御チャネルを有するワイヤレス通信システム（１００）において少なくとも１つのユーザ機器（１２０）に関する物理ダウンリンク制御チャネル共通探索スペース（ＣＳＳ）を構成するための装置であって、
プロセッサと、関連するメモリとを備え、前記プロセッサは、
前記ＣＳＳの少なくとも１つのパラメータのブロードキャストを制御するように構成され、前記パラメータのいずれも、直交周波数分割多重（ＯＦＤＭ）シンボルの数ではない装置。
【請求項８】
前記ワイヤレス通信システムは、第２のタイプの物理ダウンリンク制御チャネルをさらに含み、さらに少なくとも１つのパラメータは、前記タイプの物理ダウンリンク制御チャネルのいずれを、前記少なくとも１つのＵＥが前記ＣＳＳを監視するのに使用しなければならないかを示す請求項７に記載の装置。
【請求項９】
少なくとも第１のタイプの物理ダウンリンク制御チャネルを有するワイヤレス通信システムにおいてユーザ機器（ＵＥ）に関するデフォルトのユーザ機器特有の探索スペース（ＵＳＳ）を構成する装置であって、
プロセッサと、関連するメモリとを備え、前記プロセッサが、
前記デフォルトのＵＳＳの少なくとも１つのパラメータのブロードキャストを制御するように構成され、前記パラメータのいずれも、前記ＵＥの識別子に基づいておらず、前記ブロードキャストは、ＵＥ特有のシグナリングより前に行われる装置。
【請求項１０】
前記少なくとも１つのパラメータは、前記ＵＳＳの少なくとも１つの周波数位置を示す請求項９に記載の装置。
【発明の詳細な説明】
【背景技術】
【０００１】
モバイル・ブロードバンド・アクセスの需要が増大しつづけるなかで、ロングターム・エボリューション（ＬＴＥ）技術においてさらなる改良の必要性が存在する。第３世代パートナーシップ・プロジェクト（３ＧＰＰ）ＬＴＥ  Ｒｅｌ−１１は、これらのさらなる改良をもたらすワイヤレス業界の取り組みの一環である。
【０００２】
ＬＴＥをサポートするシステムにおける基地局は、ｅノードＢと呼ばれる。ｅノードＢがユーザ・サービスを効果的に提供するために、ｅノードＢは、ユーザ機器（ＵＥ）に、ページングおよび他の一般的なシグナリングなどの制御シグナリングを提供しなければならない。このシグナリングは、専用の制御チャネルを介して提供される。ｅノードＢによるサービスを受ける活性のＵＥのすべてが、サービスを受けるために制御チャネルをリッスンしなければならない。拡張のなかでもとりわけ、３ＧＰＰ  ＬＴＥ  Ｒｅｌ−１１は、ＵＥが制御チャネルをリッスンする、または監視する様態を含め、これらの制御チャネルの改良を対象とする。しかし、拡張制御チャネルは、レガシーＵＥがこれらのｅノードＢによるサービスを依然として受けることが可能であるように、すべてのレガシーＵＥが段階的に廃止されるまで、同一のキャリア上でレガシー制御チャネルと共存しなければならない。また、拡張制御チャネルは、すべてのレガシーＵＥが取って代わられた後、スタンドアロンの動作をサポートすることもしなければならない。
【発明の概要】
【発明が解決しようとする課題】
【０００３】
実施形態は、少なくとも第１のタイプの物理ダウンリンク制御チャネルを有するワイヤレス通信システムにおいて少なくとも１つのユーザ機器（ＵＥ）に関する共通探索スペース（ＣＳＳ）を構成するための方法および／または装置と関係する。
【課題を解決するための手段】
【０００４】
一実施形態において、少なくとも第１のタイプの物理ダウンリンク制御チャネルを有するワイヤレス通信システムにおいて少なくとも１つのユーザ機器（ＵＥ）に関する物理ダウンリンク制御チャネル共通探索スペース（ＣＳＳ）を構成する方法が、ＣＳＳの少なくとも１つのパラメータをブロードキャストすることを含み、これらのパラメータのいずれも、直交周波数分割多重（ＯＦＤＭ）シンボルの数ではない。
【０００５】
一実施形態において、そのワイヤレス通信システムが、第２のタイプの物理ダウンリンク制御チャネルをさらに含み、さらに少なくとも１つのパラメータが、これらのタイプの物理ダウンリンク制御チャネルのいずれを、その少なくとも１つのＵＥがＣＳＳを監視するのに使用しなければならないかを示す。
【０００６】
一実施形態において、その少なくとも１つのパラメータの別のパラメータが、その少なくとも１つのＵＥが、ＣＳＳを監視するのに第１のタイプの物理ダウンリンク制御チャネルを使用しなければならないことを示す。
【０００７】
一実施形態において、その少なくとも１つのパラメータが、ＣＳＳの少なくとも１つの周波数位置を示す。
【０００８】
一実施形態において、少なくとも第１のタイプの物理ダウンリンク制御チャネルを有するワイヤレス通信システムにおいてユーザ機器（ＵＥ）に関するデフォルトのユーザ機器特有の探索スペース（ＵＳＳ）を構成する方法が、そのデフォルトのＵＳＳの少なくとも１つのパラメータをブロードキャストすることを含み、これらのパラメータのいずれも、そのＵＥの識別子に基づかない。ブロードキャストすることは、ＵＥ特有のシグナリングより前に行われることが可能である。
【０００９】
一実施形態において、その少なくとも１つのパラメータが、ＵＳＳの少なくとも１つの周波数位置を示す。
【００１０】
一実施形態において、その少なくとも１つのパラメータが、ＵＳＳの集約レベルを示す。
【００１１】
一実施形態において、少なくとも第１のタイプの物理ダウンリンク制御チャネルを有するワイヤレス通信システムにおいてユーザ機器（ＵＥ）に関するユーザ機器特有の探索スペース（ＵＳＳ）を構成する、または再構成する方法が、ＵＥ特有のシグナリングでＵＳＳの少なくとも１つのパラメータを送信することを含み、これらのパラメータのいずれも、そのＵＥの識別子に基づかない。
【００１２】
一実施形態において、そのワイヤレス通信システムが、第２のタイプの物理ダウンリンク制御チャネルをさらに含む。少なくとも１つのパラメータが、ＵＳＳが、第１のタイプの物理ダウンリンク制御チャネル上にあるか、第２のタイプの物理ダウンリンク制御チャネル上にあるか、または第１のタイプの物理ダウンリンク制御チャネルと第２のタイプの物理ダウンリンク制御チャネルの間で分割されているかを示す。
【００１３】
一実施形態において、その少なくとも１つのパラメータが、ＵＳＳが、分散された送信を使用するか、局所化された送信を使用するか、または分散された送信と局所化された送信の両方を使用するかを示す。
【００１４】
一実施形態において、少なくとも第１のタイプの物理ダウンリンク制御チャネルを有するワイヤレス通信システムにおいて共通探索スペース（ＣＳＳ）を監視するための方法が、共通探索スペース（ＣＳＳ）の少なくとも１つのパラメータを含むブロードキャスト信号を受信することを含む。その少なくとも１つのパラメータは、複数の制御チャネルのうちのいずれがＣＳＳを監視するのに使用されるべきかを示す。
【００１５】
少なくとも１つの実施形態において、ワイヤレス・システムにおいて制御チャネルを監視するためのユーザ機器（ＵＥ）が、共通探索スペース（ＣＳＳ）の少なくとも１つのパラメータを含むブロードキャスト信号を受信するように構成され、この少なくとも１つのパラメータは、複数の制御チャネルのうちのいずれを、ＣＳＳを監視するために使用すべきかを示す。そのＵＥは、受信された少なくとも１つのパラメータに基づいて、その複数の制御チャネルのうちの或る制御チャネルを使用してＣＳＳを監視するようにさらに構成される。
【００１６】
一実施形態において、少なくとも第１のタイプの物理ダウンリンク制御チャネルを有するワイヤレス通信システムにおいて少なくとも１つのユーザ機器（ＵＥ）に関する物理ダウンリンク制御チャネル共通探索スペース（ＣＳＳ）を構成するための装置が、プロセッサと、関連するメモリとを含む。そのプロセッサは、ＣＳＳの少なくとも１つのパラメータのブロードキャストを制御するように構成され、これらのパラメータのいずれも、直交周波数分割多重（ＯＦＤＭ）シンボルの数ではない。
【００１７】
一実施形態において、そのワイヤレス通信システムが、第２のタイプの物理ダウンリンク制御チャネルをさらに含む。少なくとも１つのパラメータが、これらのタイプの物理ダウンリンク制御チャネルのいずれを、その少なくとも１つのＵＥがＣＳＳを監視するのに使用しなければならないかを示す。
【００１８】
一実施形態において、その少なくとも１つのパラメータが、その少なくとも１つのＵＥが、ＣＳＳを監視するのに第１のタイプの物理ダウンリンク制御チャネルを使用しなければならないことを示す。
【００１９】
一実施形態において、その少なくとも１つのパラメータが、ＣＳＳの少なくとも１つの周波数位置を示す。
【００２０】
一実施形態において、少なくとも第１のタイプの物理ダウンリンク制御チャネルを有するワイヤレス通信システムにおいてユーザ機器（ＵＥ）に関するデフォルトのユーザ機器特有の探索スペース（ＵＳＳ）を構成する装置が、プロセッサと、関連するメモリとを含む。そのプロセッサが、そのデフォルトのＵＳＳの少なくとも１つのパラメータのブロードキャストを制御するように構成され、これらのパラメータのいずれも、ＵＥの識別子に基づいておらず、ブロードキャストは、ＵＥ特有のシグナリングより前に行われる。
【００２１】
一実施形態において、その少なくとも１つのパラメータが、ＵＳＳの少なくとも１つの周波数位置を示す。
【００２２】
一実施形態において、その少なくとも１つのパラメータが、ＵＳＳの集約レベルを示す。
【００２３】
一実施形態において、そのワイヤレス通信システムが、第２のタイプの物理ダウンリンク制御チャネルをさらに含む。その少なくとも１つのパラメータが、ＵＳＳが、第１のタイプの物理ダウンリンク制御チャネル上にあるか、第２のタイプの物理ダウンリンク制御チャネル上にあるか、または第１のタイプの物理ダウンリンク制御チャネルと第２のタイプの物理ダウンリンク制御チャネルの間で分割されているかを示す。
【００２４】
一実施形態において、その少なくとも１つのパラメータが、ＵＳＳが、分散された送信を使用するか、局所化された送信を使用するか、または分散された送信と局所化された送信の両方を使用するかを示す。
【００２５】
一実施形態において、そのプロセッサが、そのデフォルトのＵＳＳを再構成する少なくとも１つのパラメータを送信することを制御するようにさらに構成される。
【００２６】
例示的な実施形態は、単に例示として与えられ、したがって、本開示を限定するものではない、本明細書の後段で与えられる詳細な説明、および同様の要素が同様の参照符号で表される添付の図面から、より完全に理解されよう。
【図面の簡単な説明】
【００２７】
【図１】例示的な実施形態が実施されるシステムを示す図である。
【図２】少なくとも１つの例示的な実施形態による方法を実施するためのネットワーク要素の構造を示す図である。
【図３】或る実施形態による探索スペースを構成するためのパラメータを含むブロードキャスト信号を示す図である。
【図４Ａ】実施形態によるユーザ機器（ＵＥ）によって実施される方法を示す図である。
【図４Ｂ】実施形態によるユーザ機器（ＵＥ）によって実施される方法を示す図である。
【発明を実施するための形態】
【００２８】
次に、本開示の様々な実施形態を、添付の図面を参照して、より完全に説明する。図面上の同様の要素には、同様の参照符号でラベルが付けられる。
【００２９】
詳細な例示的な実施形態が、本明細書で開示される。しかし、本明細書で開示される特定の構造上および機能上の詳細は、例示的な実施形態を説明する目的で代表的であるに過ぎない。しかし、本発明は、多くの代替の形態で実現されることが可能であり、本明細書で説明される実施形態だけに限定されるものと解釈されるべきではない。
【００３０】
したがって、例示的な実施形態は、様々な変形形態および代替形態が可能であるが、それらの実施形態は、例として図面に示され、本明細書で詳細に説明される。しかし、例示的な実施形態を、開示される特定の形態に限定する意図は全くないことを理解されたい。それどころか、例示的な実施形態は、本開示の範囲に含まれるすべての変形形態、均等形態、および代替形態を範囲に含むものとされる。同様の符号が、図の説明全体にわたって同様の要素を指す。
【００３１】
「第１の」、「第２の」などの用語が、様々な要素を説明するのに本明細書で使用され得るものの、これらの要素は、これらの用語によって限定されるべきではない。これらの用語は、要素を互いに区別するのに使用されるに過ぎない。本開示の範囲を逸脱することなく、例えば、第１の要素が、第２の要素と呼ばれることも可能であり、同様に、第２の要素が、第１の要素と呼ばれることも可能である。本明細書で使用される「および／または」という語は、リストアップされる関連するアイテムのうちの任意のアイテム、または複数のアイテムのあらゆるすべての組み合わせを含む。
【００３２】
或る要素が、別の要素に「接続」されている、もしくは「結合」されていると説明される場合、その要素は、他方の要素に直接に接続される、もしくは結合されることが可能であり、または介在する要素が存在してもよい。これに対して、或る要素が、別の要素に「直接に接続」されている、もしくは「直接に結合」されていると説明される場合、介在する要素は、全く存在しない。要素間の関係を説明するのに使用される他の語も、同様に解釈されなければならない（例えば、「〜の間に」対「直に〜の間に」、「隣接する」対「直に隣接する」など）。
【００３３】
本明細書で使用される用語は、特定の実施形態を説明することを目的とするに過ぎず、限定することは意図していない。本明細書で使用される「或る」および「その」という単数形は、文脈がそうでないことを明確に示すのでない限り、複数形も含むことを意図している。本明細書で使用される場合、「備える」、「備えた」、「含む」、および／または「含んだ」という用語は、記載される特徴、整数、ステップ、動作、要素、および／または構成要素の存在を明示するが、他の１つまたは複数の特徴、整数、ステップ、動作、要素、構成要素、および／または以上のグループの存在も、追加も排除するものではないことをさらに理解されたい。
【００３４】
また、一部の代替の実施形態において、記載される機能／動作は、図に記載される順序を外れて行われてもよいことにも留意されたい。関与する機能／動作に依存して、例えば、連続して示される２つの図が、実際には、実質的に同時発生的に実行されてもよく、または、ときとして、逆の順序で実行されてもよい。
【００３５】
特定の詳細は、例示的な実施形態の徹底的な理解をもたらすように以下の説明において与えられる。しかし、例示的な実施形態は、これらの特定の詳細なしに実施され得ることが当業者には理解されよう。例えば、システムは、例示的な実施形態を不必要な詳細で不明瞭にしないようにブロック図で示され得る。他の事例において、よく知られたプロセス、構造、および技法は、例示的な実施形態を不明瞭にするのを避けるために不必要な詳細なしに示され得る。
【００３６】
以下の説明において、例示的な実施形態は、特定のタスクを実行する、または特定の抽象データ型を実装するとともに、既存のネットワーク要素における既存のハードウェアを使用して実施され得るルーチン、プログラム、オブジェクト、構成要素、データ構造などを含むプログラム・モジュールまたは機能上のプロセスとして実施され得る動作、および操作の記号表現（例えば、フローチャート、流れ図、データフロー図、構造図、ブロック図などの形態の）を参照して説明される。そのような既存のハードウェアには、１つまたは複数の中央処理装置（ＣＰＵ）、デジタル・シグナル・プロセッサ（ＤＳＰ）、特定用途向け集積回路、フィールド・プログラマブル・ゲート・アレイ（ＦＰＧＡ）、コンピュータなどが含まれ得る。
【００３７】
フローチャートは、動作を順次のプロセスとして説明する可能性があるものの、動作の多くは、並行に、同時発生的に、または同時に実行されてもよい。さらに、動作の順序は、再構成され得る。プロセスは、そのプロセスの動作が完了すると、終了され得るが、図に含められていないさらなるステップを有することも可能である。プロセスは、メソッド、関数、プロシージャ、サブルーチン、サブプログラムなどに対応することが可能である。プロセスが関数に対応する場合、そのプロセスの終了は、その関数が呼び出し関数またはメイン関数に戻ることに対応することが可能である。
【００３８】
本明細書で開示される「記憶媒体」または「コンピュータ可読記憶媒体」という用語は、読み取り専用メモリ（ＲＯＭ）、ランダム・アクセス・メモリ（ＲＡＭ）、磁気ＲＡＭ、コア・メモリ、磁気ディスク記憶媒体、光記憶媒体、フラッシュ・メモリ・デバイス、および／または情報を格納するための他の実体のあるマシン可読媒体を含む、データを格納するための１つまたは複数のデバイスを表すことが可能である。「コンピュータ可読媒体」という用語には、ポータブル・ストレージ・デバイスまたは固定ストレージ・デバイス、光ストレージ・デバイス、ならびに命令および／またはデータを格納すること、包含すること、または担持することができる他の様々な媒体が含まれ得るが、以上には限定されない。
【００３９】
さらに、例示的な実施形態は、ハードウェア、ソフトウェア、ファームウェア、ミドルウェア、マイクロコード、ハードウェア記述言語、または以上の任意の組み合わせによって実装されることが可能である。ソフトウェア、ファームウェア、ミドルウェア、またはマイクロコードとして実装される場合、必要なタスクを実行すべきプログラム・コードまたはコード・セグメントは、コンピュータ可読記憶媒体などのマシン可読媒体またはコンピュータ可読媒体の中に格納され得る。ソフトウェアとして実装される場合、プロセッサまたは複数のプロセッサが、必要なタスクを実行する。
【００４０】
コード・セグメントは、プロシージャ、関数、サブプログラム、プログラム、ルーチン、サブルーチン、モジュール、ソフトウェア・パッケージ、クラス、または命令、データ構造もしくはプログラム・ステートメントの任意の組み合わせを表し得る。コード・セグメントは、情報、データ、引数、パラメータ、またはメモリ・コンテンツを渡すこと、および／または受け取ることによって、別のコード・セグメントまたはハードウェア回路に結合され得る。情報、引数、パラメータ、データなどは、メモリ共有、メッセージ受け渡し、トークン受け渡し、ネットワーク伝送などを含む任意の適切な手段を介して渡されること、転送されること、または伝送されることが可能である。
【００４１】
例示的な実施形態は、ワールドワイド・インターオペラビリティ・フォー・マイクロウェイブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）（ＷｉＭＡＸ）、ウルトラ・モバイル・ブロードバンド（ＵＭＢ）、および第３世代パートナーシップ・プロジェクト・ロングターム・エボリューション（３ＧＰＰ  ＬＴＥ）などのＲＡＮに関連して利用され得る。
【００４２】
ＬＴＥシステムにおけるｅノードＢが、ダウンリンク制御情報メッセージを包含する制御チャネルを生成する。このｅノードＢが、これらのチャネルを介して制御情報をユーザ機器（ＵＥ）に送信する。この制御シグナリングは、ＵＥが、ダウンリンク・トラフィック・チャネルを介して伝送されたデータを正常に受信し、復調し、復号するために要求される。３ＧＰＰ  Ｒｅｌ−８／９／１０システムにおいて、制御信号は、物理ダウンリンク制御チャネル（ＰＤＣＣＨ）を介して送信される。３ＧＰＰ  Ｒｅｌ−１１は、拡張物理ダウンリンク制御チャネル（ｅＰＤＣＣＨ）を提供する。
【００４３】
複数のＰＤＣＣＨおよびｅＰＤＣＣＨが、任意のｅノードＢシステムにおいてサポートされ、提供されることが可能である。これらのＰＤＣＣＨおよびｅＰＤＣＣＨのすべてが、特定のＵＥに関係がある可能性があるわけではなく、ＵＥリソースは、ＵＥが、ｅノードＢのすべてのＰＤＣＣＨおよびｅＰＤＣＣＨを監視する場合、浪費され得る。したがって、ｅノードＢ制御領域は、共通探索スペース（ＣＳＳ）と、ＵＥが監視すべきＵＥ特有の探索スペース（ＵＳＳ）に細分される。各スペースが、いくつかのＰＤＣＣＨ候補またはｅＰＤＣＣＨ候補を含む。探索スペースのサイズは、ＰＤＣＣＨ候補の数、またはｅＰＤＣＣＨ候補の数によって決まる。
【００４４】
例示的な実施形態において、ＵＥが、いずれのＵＥ特有のシグナリングにも先立って、ｅＰＤＣＣＨ上、またはＰＤＣＣＨ上でＣＳＳに最初にアクセスすることを可能にする方法が、提供される。この方法は、例示的な実施形態において、ＵＥが、システム情報ブロック（ＳＩＢ）およびページングメッセージに関するアイドル状態において、さらにランダム・アクセス応答に関する初期アクセス中にＣＳＳを監視することを可能にする。例示的な実施形態は、ＵＥがＣＳＳを監視することができるように、どこにＣＳＳがあるかをＵＥが知る方法を提供する。例示的な実施形態は、ｅＰＤＣＣＨのスタンドアロンの動作、およびｅＰＤＣＣＨとレガシーＰＤＣＣＨの共存をサポートする。例示的な実施形態は、ＵＳＳを構成するため、および再構成するための方法をさらに提供する。
【００４５】
図１は、例示的な実施形態が実施されるシステムを示す。
【００４６】
図１を参照すると、システム１００が、少なくとも１つの基地局１１０を含む。基地局１１０は、ＬＴＥ  ｅノードＢであり得る。１つの例示的な実施形態による基地局１１０が、後段で図２に関連してさらに詳細に説明される。
【００４７】
基地局１１０は、或る地理的区域にサービスを提供する。システム１００は、１つだけの基地局１１０を示すが、隣接する地理的区域にサービスを提供するさらなる、隣接する基地局が存在してもよいことを理解されたい。
【００４８】
システム１００は、１つまたは複数のＬＴＥ  ＵＥ１２０を含み得る。ＬＴＥ  ＵＥ１２０は、３ＧＰＰ  Ｒｅｌ−８／９／１０または１１のいずれか、またはすべてをサポートすることが可能である。任意の時点で、基地局１１０によるサービスを受けるＬＴＥ  ＵＥ１２０が全く存在しないことがあり得ることを理解されたい。任意の所与の時点で、基地局１１０によるサービスを受けるすべてのＬＴＥ  ＵＥ１２０が３ＧＰＰ  Ｒｅｌ−１１をサポートすることが可能であり、または、代替として、基地局１１０によるサービスを受けるいずれのＬＴＥ  ＵＥ１２０も３ＧＰＰ  Ｒｅｌ−１１をサポートしないことが可能であることをさらに理解されたい。
【００４９】
図２は、少なくとも１つの例示的な実施形態による方法を実施するための基地局１１０の構造を示す図である。基地局１１０は、ワイヤレス・ネットワークに接続されたＬＴＥ  ＵＥ１２０にブロードキャストする任意のネットワーク要素であり得る。
【００５０】
送信ユニット２１０、受信ユニット２２０、メモリ・ユニット２３０、および処理ユニット２４０が、データバス２６０を使用して互いにデータを送信すること、および／または互いからデータを受信することが可能である。送信ユニット２１０は、ワイヤレス通信ネットワーク１００におけるネットワーク要素に対する１つまたは複数の有線接続および／またはワイヤレス接続を介して、例えば、データ信号および制御信号を含む有線信号および／またはワイヤレス信号を送信するためのハードウェアおよび任意の必要なソフトウェアを含むデバイスである。例えば、送信ユニット２１０によって送信されるデータ信号が、ＬＴＥ  ＵＥ１２０に送信されるＣＳＳおよびＵＳＳに関する構成設定を含むことが可能である。
【００５１】
受信ユニット２２０は、ワイヤレス通信ネットワーク１００におけるネットワーク要素に対する１つまたは複数の有線接続および／またはワイヤレス接続を介して、例えば、データ信号および制御信号を含む有線信号および／またはワイヤレス信号を受信するためのハードウェアおよび任意の必要なソフトウェアを含むデバイスである。
【００５２】
メモリ・ユニット２３０は、磁気ストレージ、フラッシュ・ストレージなどを含む、データを格納することができる任意のデバイスであり得る。
【００５３】
処理ユニット２４０は、例えば、入力データに基づいて特定の動作を実行するように構成されたマイクロプロセッサを含む、データを処理することができる、またはコンピュータ可読コードに含められた命令を実行することができる任意のデバイスであり得る。
【００５４】
これらの例示的な実施形態の態様が、ＣＳＳ構成およびＵＳＳ構成をもたらす。しかし、少なくとも１つの例示的な実施形態が、ＣＳＳ構成だけしかもたらさないことが可能であることが理解されよう。さらなる例示的な実施形態が、ＵＳＳ構成だけしかもたらさないことが可能である。少なくとも別の例示的な実施形態が、ＣＳＳとＵＳＳの両方を構成することが可能である。ＣＳＳ構成をもたらすための例示的な実施形態、およびＵＳＳ構成をもたらすための例示的な実施形態が、後段でさらに、別々に説明される。
【００５５】
ＣＳＳ構成
少なくとも１つの実施形態において、基地局１１０が、後段でさらに詳細に説明されるブロードキャスト・チャネルを介してＬＴＥ  ＵＥ１２０に信号をブロードキャストする。この信号は、ＣＳＳの構成のための１つまたは複数のパラメータを含む。少なくとも１つのパラメータは、ＣＳＳによって占有されるＯＦＤＭシンボルの数ではない。例えば、一実施形態において、これらのパラメータのいずれも、ＣＳＳによって占有されるＯＦＤＭシンボルの数を示さない。
【００５６】
基地局１１０が、複数の制御チャネルのうちのいずれがＣＳＳに関して監視されるべきかを示すパラメータをブロードキャストすることが可能である。例えば、基地局１１０が、ＬＴＥ  ＵＥ１２０がＰＤＣＣＨを監視すべきことを示すパラメータをブロードキャストすることが可能である。少なくとも別の例示的な実施形態において、基地局１１０が、ＬＴＥ  ＵＥ１２０がｅＰＤＣＣＨを監視すべきことを示すパラメータをブロードキャストすることが可能である。
【００５７】
少なくとも１つの例示的な実施形態において、基地局１１０が、複数の制御チャネルがＣＳＳを包含することを示すパラメータをブロードキャストすることが可能である。少なくともこの例示的な実施形態において、制御チャネルの格付けが、基地局によって事前定義され、または与えられ、ＬＴＥ  ＵＥ１２０は、ＬＴＥ  ＵＥ１２０が受信することができる最上位に格付けされた制御チャネル上でＣＳＳを監視しなければならない。例えば、ｅＰＤＣＣＨを受信する能力を有するＬＴＥ  ＵＥは、ｅＰＤＣＣＨが最上位に格付けされた制御チャネルである場合、ｅＰＤＣＣＨ上でＣＳＳを監視しなければならない。
【００５８】
基地局１１０は、例えば、物理リソース・ブロック（ＰＲＢ）の点で、ＣＳＳの周波数位置または複数の周波数位置を示すパラメータをブロードキャストすることが可能である。このパラメータを送信することによって、基地局１１０は、周波数領域におけるセル間干渉調整（ＩＣＩＣ）を可能にする。知られているとおり、ＩＣＩＣは、１つまたは複数の干渉回避スキームを含み得る。
【００５９】
基地局１１０は、ＣＳＳのために分散された送信が使用されるか、または局所化された送信が使用されるかを示すパラメータをブロードキャストすることが可能である。つまり、基地局１１０は、各制御チャネル・メッセージ、またはメッセージの一部（例えば、制御チャネル要素（ＣＣＥ））が、単一の物理リソース・ブロック（ＰＲＢ）の中で送信されるか、または周波数領域において隣接していない複数のＰＲＢの中で送信されるかを示すパラメータをブロードキャストすることが可能である。
【００６０】
基地局１１０は、他のブロードキャスト情報も伝送するブロードキャスト・チャネルの中にさらなるビットを挿入することによって、前述したパラメータのうちの少なくとも１つをブロードキャストすることが可能である。例えば、基地局１１０は、物理ブロードキャスト・チャネル（ＰＢＣＨ）の中で少なくとも１つのパラメータをブロードキャストすることが可能である。さらに、基地局１１０は、いずれの既存のブロードキャスト・チャネルとも別個の新たなブロードキャスト・チャネルの中で、前述したパラメータのうちの少なくとも１つをブロードキャストすることが可能である。
【００６１】
少なくとも１つの例示的な実施形態において、基地局１１０は、前述したパラメータのうちの少なくとも１つを、そのパラメータ値を明示的にブロードキャストすることによってブロードキャストすることが可能である。少なくとも１つの例示的な実施形態において、基地局１１０は、ＬＴＥ  ＵＥ１２０に前もって格納されたパラメータ値の事前定義されたセットに対するポインタまたは他の標識をＬＴＥ  ＵＥ１２０に提供することが可能である。基地局１１０は、シグナリング・オーバヘッドを小さくするためにパラメータ値の事前定義されたセットに対するポインタを提供することが可能である。
【００６２】
したがって、例示的な実施形態において、ＬＴＥ  ＵＥ１２０は、ＬＴＥ  ＵＥ１２０が、ＣＳＳがどこにあるかを知り、制御チャネルを監視することができるために、ＣＳＳを完全に定義する十分な情報を受信する。
【００６３】
ＵＳＳ構成
少なくとも１つの例示的な実施形態において、基地局１１０が、特定のＬＴＥ  ＵＥ１２０に関するデフォルトのＵＳＳをもたらすパラメータをブロードキャストする。ＬＴＥ  ＵＥ１２０が、いずれの構成シグナリングまたは再構成シグナリングを受信するのにも先立って、デフォルトのＵＳＳを監視することが可能である。３ＧＰＰ  Ｒｅｌ−８／９／１０とは異なり、デフォルトのＵＳＳは、ＵＥのＩＤに完全に基づく、またはＵＥのＩＤから完全に導き出されるわけではない。基地局１１０によってブロードキャストされる少なくとも１つまたは複数のパラメータが、デフォルトのＵＳＳを決定するのに使用される。
【００６４】
例示的な実施形態において、基地局１１０が、ＵＳＳに関する周波数位置または複数の周波数位置を示すパラメータをブロードキャストすることが可能である。基地局１１０は、前述したＩＣＩＣが実施され得るように、少なくとも１つの周波数位置をブロードキャストする。少なくとも１つの周波数位置は、その範囲内でＵＳＳがサブフレーム間をホッピングすることが可能な帯域幅を含むことが可能である。つまり、３ＧＰＰ  ＬＴＥ  Ｒｅｌ−１１の下でのホッピングが、今や、帯域幅全体の範囲内ではなく、構成された周波数位置の範囲内で行われることが可能である。
【００６５】
例示的な実施形態において、基地局１１０は、ＵＳＳに関する集約レベルを示すパラメータをブロードキャストすることが可能である。Ｎの集約レベルは、知られているとおり、各制御チャネル・メッセージに関してＮ個のＣＣＥが集約されることを暗示する。したがって、Ｎは、ＵＳＳのコードレートを決定する。知られているとおり、より高い集約レベルは、より多くのリソースが必要とされることを暗示する。より高い集約レベルは、例えば、セル縁端部において、例えば、信号がより弱い可能性がある場合に要求される可能性がある。
【００６６】
例示的な実施形態において、基地局１１０が、デフォルトのＵＳＳがＣＳＳと同一であるかどうかを示すパラメータをブロードキャストすることが可能である。デフォルトのＵＳＳがＣＳＳと同一であることが示される場合、デフォルトのＵＳＳは、ＵＥのＩＤにもはや基づくことはなく、ＬＴＥ  ＵＥ１２０が、ＣＳＳを導き出すための同一の手順およびパラメータに従ってＵＳＳを導き出す。
【００６７】
例示的な実施形態において、基地局１１０が、複数の制御チャネルのうちのいずれが、デフォルトのＵＳＳに関して監視されるべきかを示すパラメータをブロードキャストすることが可能である。少なくとも１つの例示的な実施形態において、デフォルトのＵＳＳは、レガシーＰＤＣＣＨの中に完全に包含され得る。つまり、ＵＳＳのより完全な定義は、３ＧＰＰ  ＬＴＥ  Ｒｅｌ−８／９／１０仕様に従うことが可能である。少なくともこの例示的な実施形態において、ＵＳＳを完全に定義するのにさらなるシグナリングは、全く必要とされない。少なくとも別の例示的な実施形態において、パラメータは、デフォルトのＵＳＳがｅＰＤＣＣＨの中に完全に包含されることを示すことが可能である。少なくともこの例示的な実施形態において、ＵＳＳの周波数位置は、ＣＳＳの周波数位置と同一であり得る。さらに別の例示的な実施形態において、このパラメータは、デフォルトのＵＳＳがｅＰＤＣＣＨとレガシーＰＤＣＣＨの間で分割されることを示すことが可能である。少なくともこの例示的な実施形態において、基地局１１０は、ＵＳＳのさらなる構成をもたらす。
【００６８】
少なくとも１つの実施形態において、基地局１１０が、ｅＰＤＣＣＨ上のデフォルトのＵＳＳが、分散された送信だけを使用するか、局所化された送信だけを送信するか、または分散された送信と局所化された送信の混合を使用するかを示すパラメータをブロードキャストする。
【００６９】
基地局１１０は、周波数分割複信（ＦＤＤ）を使用する例示的な実施形態において分散送信が使用されるべきことを示すパラメータをブロードキャストすることが可能である。少なくともこれらの実施形態において、デフォルトのＵＳＳが、無線リソース構成（ＲＲＣ）が実行されるのに先立って使用されることが可能である。少なくともこれらの実施形態において、チャネル状態情報（ＣＳＩ）フィードバックは、まだ構成されておらず、基地局１１０は、基地局が他の方法でｅＰＤＣＣＨの周波数選択的なスケジューリングを実行することができないため、分散型の送信を要求するパラメータを設定する。
【００７０】
時間分割複信（ＴＤＤ）を使用する例示的な実施形態において、基地局１１０は、分散された送信と局所化された送信の両方が使用されるべきことを示すパラメータをブロードキャストすることが可能である。少なくともこれらの実施形態において、基地局１１０は、チャネル相反性を使用して、ｅＰＤＣＣＨに関する局所化された送信をスケジュールすることができる。
【００７１】
例示的な実施形態において、基地局１１０が、ｅＣＣＥを定義するパラメータをＤＭ−ＲＳアンテナ・ポート・マッピングにブロードキャストすることが可能である。例示的な実施形態において、基地局１１０が、ＤＭ−ＲＳシーケンスを定義するパラメータをブロードキャストすることが可能である。
【００７２】
例示的な実施形態において、基地局１１０が、ランダム・アクセス手順中にシグナリング・メッセージの中で、前述したパラメータのうちの少なくとも１つを送信することが可能である。例示的な実施形態において、サービング基地局１１０が、ターゲット・セルへのハンドオーバに先立ってハンドオーバ・メッセージの中で、前述したパラメータのうちの少なくとも１つを送信することが可能である。さらなる例示的な実施形態において、サービング基地局１１０が、ＲＲＣシグナリングなどの、より上位の層のシグナリングの中で、前述したパラメータのうちの少なくとも１つを送信することが可能である。
【００７３】
少なくとも１つの例示的な実施形態において、基地局１１０が、ＵＳＳを再構成することが可能である。基地局１１０は、ＣＳＩフィードバックが有用になると、ＵＳＳを再構成することが可能である。例えば、ＣＳＩフィードバックは、より強い信号、よりゆっくりしたチャネル変動、および／またはより頻繁なＣＳＩ報告に起因して、有用になり得る。例示的な実施形態において、基地局１１０は、ＣＳＩフィードバックが信頼できなくなると、ＵＳＳを再構成することが可能である。例えば、ＣＳＩフィードバックは、より弱い信号、より速いチャネル変動、および／またはより頻度の低いＣＳＩ報告に起因して、信頼できなくなり得る。さらなる例示的な実施形態において、基地局１１０は、基地局１１１０が、ＬＴＥ  ＵＥ１２０の周波数位置を再構成する必要がある場合に、ＵＳＳを再構成することが可能である。例えば、基地局１１０は、前述したとおり、ＩＣＩＣを実施するために周波数位置を再構成する必要があり得る。
【００７４】
例示的な実施形態において、基地局１１０が、ＵＳＳ内の少なくとも何らかの候補が、比較的高い集約レベルを有する分散された送信を使用するようにＬＴＥ  ＵＥ１２０のＵＳＳを構成する。基地局１１０は、ＣＳＩフィードバックがあまりにも信頼できなくなり、効果的な局所化された送信を実行することができない場合に、堅牢性を確実にするためにそのようにすることが可能である。
【００７５】
少なくとも１つの例示的な実施形態において、ＣＳＳ構成の事例と同様に、基地局１１０が、前述したパラメータのうちの少なくとも１つを、そのパラメータ値を明示的にブロードキャストすることによってブロードキャストすることが可能である。少なくとも１つの例示的な実施形態において、基地局１１０が、ＬＴＥ  ＵＥ１２０に、事前定義されたセットのパラメータ値にポインタまたは他の標識を提供することが可能である。基地局１１０は、シグナリング・オーバヘッドを小さくするために、事前定義されたセットのパラメータ値に対するポインタを提供することが可能である。
【００７６】
したがって、例示的な実施形態は、基地局１１０が、ＬＴＥ  ＵＥ１２０にＵＥ特有のシグナリングを送信することができるのに先立って定義されたデフォルトのＵＳＳを提供する。
【００７７】
図３は、例示的な実施形態において前述したＣＳＳパラメータ、ＣＳＳ  Ｐ１およびＣＳＳ  Ｐ２、およびＵＳＳパラメータ、ＵＳＳ  Ｐ１、ＵＳＳ  Ｐ１、ＵＳＳＰ３を含む例示的なブロードキャスト信号を示す。ＣＳＳパラメータおよびＵＳＳパラメータは、必ずしも同一のメッセージの中で一緒に伝送されないことに留意されたい。さらに、所与のパラメータが、ＣＳＳ構成とＵＳＳ構成の間で共有され得ることに留意されたい。例として、周波数位置パラメータが、例示的な実施形態における両方のタイプの構成の間で共有されることが可能である。
【００７８】
図４Ａおよび図４Ｂは、例示的な実施形態によるＣＳＳおよびＵＳＳを監視することに使用される方法を示す。これらの方法は、基地局１１０によるサービスを受けるＬＴＥ  ＵＥ１２０によって実施され得る。少なくともいくつかの例示的な実施形態において、ＬＴＥ  ＵＥ１２０は、ＣＳＳを監視する。ステップＳ４１０で、ＬＴＥ  ＵＥ１２０が、ブロードキャスト・チャネルを監視し、ＣＳＳの少なくとも１つのパラメータを含むブロードキャスト信号を受信する。例示的な実施形態において、ＣＳＳの少なくとも１つのパラメータが、複数の制御チャネルのうちのいずれがＣＳＳに関して監視されるべきであるかを示す。ステップＳ４２０で、ＬＴＥ  ＵＥ１２０が、示される制御チャネル上でＣＳＳを監視する。ステップＳ４３０で、ＬＴＥ  ＵＥ１２０が、ブロードキャスト・チャネルを監視し、ＵＳＳの少なくとも１つのパラメータを含むブロードキャスト信号を受信する。ステップＳ４４０で、ＬＴＥ  ＵＥ１２０が、示された制御チャネル上でＵＳＳを監視する。
【００７９】
例示的な実施形態の変形形態は、例示的な実施形態の趣旨および範囲からの逸脱と見なされるべきではなく、当業者には明白となるすべてのそのような変形形態が、本開示の範囲に含められることが意図される。
【図１】
2015514354.tif 000003
【図２】
2015514354.tif 000004
【図３】
2015514354.tif 000005
【図４Ａ】
2015514354.tif 000006
【図４Ｂ】
2015514354.tif 000007
【国際調査報告】
2015514354.tif 000008
2015514354.tif 000009
2015514354.tif 000010